(57)【特許請求の範囲】
【請求項１】
正面板（１５）に表示窓（１９）を有する筐体（８）と、
前記筐体の天井面（２１）及び底面（２２）に対向配置され、凹状の上部周回路（２３）及び下部周回路（２４）を有した上部ガイドレール（２５）及び下部ガイドレール（２６）と、
複数の広告表示面（３３，５１）を有し、上下両端に設けられた略正方形の支持駒（３１）が前記上部周回路及び前記下部周回路に回転不能に案内されながら複数が連続して移送される可変広告表示ブロック（３０，５０）と、
前記上部周回路及び前記下部周回路の内方両端で平行に起立して回転自在に支持されて同期回転する第１駆動軸（１４）及び第２駆動軸（１６）と、
前記第１駆動軸及び前記第２駆動軸に同心円状に固定され、前記可変広告表示ブロックに係合して該可変広告表示ブロックを移送する移送ホイール（３６）と、
前記上部ガイドレール及び前記下部ガイドレールに形成され、前記支持駒の回転を許容する切欠部（３９）と、
前記切欠部から移送路内空間（２９）に後退可能に突出し、移送されてきた前記可変広告表示ブロックの前記支持駒の角部（４２）に当接して該可変広告表示ブロックを回転させて前記広告表示面を切り換える表示変換用ばね部材（４０）と、
を具備することを特徴とする可変広告表示装置。
【請求項２】
請求項１記載の可変広告表示装置（１）であって、
前記上部周回路（２３）及び前記下部周回路（２４）が長円形状に形成され、
前記切欠部（３９）及び前記表示変換用ばね部材（４０）が前記長円形状の片側の半円路（３８）の二箇所に設けられることを特徴とする可変広告表示装置。
【請求項３】
請求項１記載の可変広告表示装置（１）であって、
前記上部周回路（２３）及び前記下部周回路（２４）が長円形状に形成され、
前記切欠部（３９）及び前記表示変換用ばね部材（４０）が前記長円形状の片側の半円路（３８）の一箇所に設けられ、
前記可変広告表示ブロック（５０）の広告表示面（５１）が断面略正方形の角柱体の側面（５２）に形成されることを特徴とする可変広告表示装置。
【発明の詳細な説明】
【技術分野】
【０００１】
本発明は、広告表示面を切り換えて表示可能な可変広告表示装置に関する。
【０００２】
従来、回転移送式の広告表示装置として、正面開口の筺体内に複数の回転長軸が配置され、これら回転長軸間に広告などが表示された帆布製スクリーンが無端状に懸架張設されて回転されるものが知られている。ところが、従来の装置において、その回転移送されるスクリーンは一枚物でこれに広告が表示されている。このため、多面的に変化表示されても、一枚物であるため視覚上それぞれの表示面に仕切られた独立表示面として目視し得ないばかりか、ある部分の広告を他の異なる広告に変換させることは不可能で、アピール度が低く、視覚効果に劣るものであった。
【０００３】
このような不具合を解消したものに、下記特許文献１に開示される可変広告表示装置が知られている。この可変広告表示装置は、正面側が開口の筺体内に一対の環状ガイドレールが相対向して配置され、また、環状ガイドレールの凹溝内には、四つの広告表示面を有する所要数の可変広告表示ブロックの中心固定軸の両端が、移動可能に係合され並列状に跨設配置され、これら可変広告表示ブロックが環状ガイドレールに沿いながら、回転している一対の移送歯車の放射状移送歯によって順次移送され、その水平状上部の上端から垂直状正面側部のスペースに自重落下することにより、広告表示面が自動変換されるものである。
【先行技術文献】
【特許文献】
【０００４】
【特許文献１】特許第２９５７１３１号公報
【発明の概要】
【発明が解決しようとする課題】
【０００５】
しかしながら、上述した従来の可変広告表示装置は、広告表示面を自動変換するに際し、順次移送される可変広告表示ブロックを水平状上部の上端から垂直状正面側部のスペースに自重落下させていた。このため、可変広告表示ブロックを移送するためには、自重落下させる下向きのスペースを形成しなければならず、水平方向の回転軸周りに環状となった上下方向の周回移送路とする必要があった。つまり、縦スクロールであった。この上下方向の周回移送路では、複数の横長の可変広告表示ブロックが上下に連なって移送されることから、横書きの文字表示はよいが、縦書きの文字表示には違和感の生じることがあった。
【０００６】
本発明は上記状況に鑑みてなされたもので、その目的は、自重落下を利用せずに可変広告表示ブロックの表示面が変換可能となることで、横スクロールが可能となる可変広告表示装置を提供することにある。
【課題を解決するための手段】
【０００７】
次に、上記の課題を解決するための手段を、実施の形態に対応する図面を参照して説明する。
本発明に係る請求項１記載の可変広告表示装置は、正面板１５に表示窓１９を有する筐体８と、
前記筐体８の天井面２１及び底面２２に対向配置され、凹状の上部周回路２３及び下部周回路２４を有した上部ガイドレール２５及び下部ガイドレール２６と、
複数の広告表示面３３（５１）を有し、上下両端に設けられた略正方形の支持駒３１が前記上部周回路２３及び前記下部周回路２４に回転不能に案内されながら複数が連続して移送される可変広告表示ブロック３０（５０）と、
前記上部周回路２３及び前記下部周回路２４の内方両端で平行に起立して回転自在に支持されて同期回転する第１駆動軸１４及び第２駆動軸１６と、
前記第１駆動軸１４及び前記第２駆動軸１６に同心円状に固定され、前記可変広告表示ブロック３０（５０）に係合して該可変広告表示ブロック３０（５０）を移送する移送ホイール３６と、
前記上部ガイドレール２５及び前記下部ガイドレール２６に形成され、前記支持駒３１の回転を許容する切欠部３９と、
前記切欠部３９から移送路内空間２９に後退可能に突出し、移送されてきた前記可変広告表示ブロック３０（５０）の前記支持駒３１の角部４２に当接して該可変広告表示ブロック３０（５０）を回転させて前記広告表示面３３（５１）を切り換える表示変換用ばね部材４０と、
を具備することを特徴とする。
【０００８】
このような構成では、第１駆動軸１４及び第２駆動軸１６によって移送ホイール３６が回転されると、上部ガイドレール２５及び下部ガイドレール２６に案内されながら可変広告表示ブロック３０（５０）が繰り出される。可変広告表示ブロック３０（５０）は、複数が連続して配置されているので、一つが繰り出されれば、一つが押し戻される。つまり、複数の可変広告表示ブロック３０（５０）が移送路内空間２９を連なって周回移送される。可変広告表示ブロック３０（５０）は、周回移送されるとき、切欠部３９に到達すると、切欠部３９から突出した表示変換用ばね部材４０に支持駒３１の角部４２が当接する。表示変換用ばね部材４０に支持駒３１の角部４２が当接した可変広告表示ブロック３０（５０）は、移送による押圧力によって表示変換用ばね部材４０から反力を受け、支持駒３１の角部４２を中心に回転される。このとき、支持駒３１は、角部４２が切欠部３９から外方へ突出することで、この切欠部３９においてのみ回転が許容される。この回転により可変広告表示ブロック３０（５０）は回転され、可変広告表示ブロック３０（５０）の広告表示面３３（５１）が切り換えられる。
【０００９】
請求項２記載の可変広告表示装置は、請求項１記載の可変広告表示装置１であって、
前記上部周回路２３及び前記下部周回路２４が長円形状に形成され、
前記切欠部３９及び前記表示変換用ばね部材４０が前記長円形状の片側の半円路３８の二箇所に設けられることを特徴とする。
【００１０】
このような構成では、一つの表示変換用ばね部材４０で可変広告表示ブロック３０が９０°回転される。表示変換用ばね部材４０が二箇所に設けられていることで、可変広告表示ブロック３０が一周回で１８０°回転される。
【００１１】
請求項３記載の可変広告表示装置は、請求項１記載の可変広告表示装置１であって、
前記上部周回路２３及び前記下部周回路２４が長円形状に形成され、
前記切欠部３９及び前記表示変換用ばね部材４０が前記長円形状の片側の半円路３８の一箇所に設けられ、
前記可変広告表示ブロック５０の広告表示面５１が断面略正方形の角柱体の側面５２に形成されることを特徴とする。
【００１２】
このような構成では、表示変換用ばね部材４０が一箇所に設けられることで、可変広告表示ブロック５０が一周回で９０°回転される。
【発明の効果】
【００１３】
本発明に係る請求項１記載の可変広告表示装置によれば、自重落下を利用せずに可変広告表示ブロックの広告表示面が変換可能なため、横スクロールを実現することができる。
【００１４】
請求項２記載の可変広告表示装置によれば、表裏二つの広告表示面を二周回で切り換えることができる。
【００１５】
請求項３記載の可変広告表示装置によれば、全周で四つの広告表示面を四周回で切り換えることができる。
【図面の簡単な説明】
【００１６】
【図１】本発明の実施の形態（可変広告表示装置）を設置した状態を示す正面図である。
【図２】（ａ）筐体を示す平面図である。  （ｂ）同正面図である。
【図３】正面板が開放された筐体を示す正面図である。
【図４】図３におけるＡ−Ａ矢視図である。
【図５】筐体内を略中央から下向きに見た平断面図である。
【図６】可変広告表示ブロックを示す斜視図である。
【図７】図５に示した第１駆動軸付近を示す平面図である。
【図８】図７において、可変広告表示ブロック及び移送ホイールを省略した図である。
【図９】（ａ），（ｂ）可変広告表示ブロックの支持駒の動作を示す図（平面図）である。
【図１０】（ｃ），（ｄ）可変広告表示ブロックの支持駒の動作を示す図（平面図）である。
【図１１】（ｅ），（ｆ）可変広告表示ブロックの支持駒の動作を示す図（平面図）である。
【図１２】（ｇ），（ｈ）可変広告表示ブロックの支持駒の動作を示す図（平面図）である。
【図１３】変形例における可変広告表示ブロックの変形例を示す斜視図である。
【図１４】（ａ），（ｂ）変形例における可変広告表示ブロックの支持駒の動作を示す図（平面図）である。
【図１５】（ｃ），（ｄ），（ｅ）変形例における可変広告表示ブロックの支持駒の動作を示す図（平面図）である。
【発明を実施するための形態】
【００１７】
以下、本発明の実施の形態を図面を参照して具体的に説明する。
図１に示すように、この実施の形態（可変広告表示装置１）は、例えば道路に設置される支持柱２の上端に、支持桟３を介して取り付けられ、種々の標識や警告を切換え表示可能とする標識手段として好適に用いることができる。この実施の形態において、可変広告表示装置１は、災害時等の給電遮断時に対応するため、手動によって切り換えられる。支持柱２の下方には図示しないハンドルが着脱自在となった切換操作ボックス４が取り付けられ、切換操作箱４に入力された切換駆動力は第１連接杆５、回転伝達箱６、第２連接杆７を介して可変広告表示装置１へと伝達される。なお、可変広告表示装置１は、電動モータを駆動源として自動的に切り換えられるものであってもよい。
【００１８】
図２（ａ），（ｂ）に示すように、可変広告表示装置１は、上下寸法Ｈを大きく、前後奥行き寸法Ｄを小さくした例えば金属製の扁平な筐体８を有する。筐体８の上面には駆動入力箱９が取り付けられ、駆動入力箱９は第２連接杆７からの切換駆動力が入力される従動歯車１０を収容する。第２連接杆７からの、切換駆動力は、垂直伝達杆１１を介して従動歯車１０に伝えられる。切換駆動力で回転された従動歯車１０は、駆動チェーン１２を介して入力歯車１３を回転する。この入力歯車１３は筐体８の内方一端に起立して回転自在に支持された第１駆動軸１４を回転する。
【００１９】
図３に示すように、筐体８の内方他端には第１駆動軸１４と平行に起立した第２駆動軸１６が回転自在に支持される。第１駆動軸１４と第２駆動軸１６は、上下方向の略中央にそれぞれスプロケット１７が固定され、これらのスプロケット１７に掛けられた同期チェーン１８によって同期回転される。つまり、入力歯車１３の回転によって回転された第１駆動軸１４に、第２駆動軸１６が従動回転される構成となっている。
【００２０】
筐体８には正面板１５が図示しない蝶番によって開閉自在に取り付けられている。この正面板１５には、正面板１５の外形よりも若干小さい相似形の表示窓１９が開口されている。表示窓１９は、防塵、防雨用の透明板２０で覆われることが好ましい。この表示窓１９は、第１駆動軸１４と第２駆動軸１６との間で連なって移動される後述する可変広告表示ブロック３０（図４参照）を視認するためのものとなる。
【００２１】
図４，５に示すように、筐体８の天井面２１及び底面２２には、対向配置され凹状の上部周回路２３及び下部周回路２４を有した上部ガイドレール２５及び下部ガイドレール２６が設けられる。この実施の形態において、上部ガイドレール２５及び下部ガイドレール２６は、筐体８に設けられた上部取付台２７及び下部取付台２８を介して固定される。上部ガイドレール２５及び下部ガイドレール２６は、図５において左右に長い長円環状に形成される。天井面２１と底面２２とに固定された上部ガイドレール２５と下部ガイドレール２６とは、それぞれの凹状の移送路内空間２９を対向させている。
【００２２】
図６に示すように、上下で対向する移送路内空間２９には、前述した可変広告表示ブロック３０の上下端が挿入される。可変広告表示ブロック３０の上下両端には、略正方形の支持駒３１が固定されている。可変広告表示ブロック３０は、断面矩形状の角柱体３２を有する。角柱体３２の一対の表裏面は広告表示面３３である第１表示面３３ａ、第２表示面３３ｂとなる。角柱体３２の上下端には上記の支持駒３１が円柱首部３４を介して固定される。
【００２３】
可変広告表示ブロック３０は、円柱首部３４と角柱体３２との境に略正方形の鍔部３５が張り出している。可変広告表示ブロック３０は、この鍔部３５同士が当接して並んでいる。鍔部３５同士が当接した可変広告表示ブロック３０は、支持駒３１が上部周回路２３及び下部周回路２４に回転不能に案内されながら、上部ガイドレール２５及び下部ガイドレール２６によって複数が連続して移送される。したがって、移送中に第１表示面３３ａ、第２表示面３３ｂが切り換わることはない。
【００２４】
上部周回路２３及び下部周回路２４の内方両端には、上述した第１駆動軸１４及び第２駆動軸１６が平行に起立して回転自在に支持されている。第１駆動軸１４及び第２駆動軸２６の両端近傍には、円板状の移送ホイール３６（図７参照）が同心円状に固定される。移送ホイール３６には円周方向に複数の係合凹部３７が等間隔で形成されている。係合凹部３７は、可変広告表示ブロック３０の円柱首部３４を受け入れるようにして係合する。移送ホイール３６は、係合凹部３７に円柱首部３４を受け入れて回転することで、可変広告表示ブロック３０を移送させる。
【００２５】
図７，８に示すように、上部周回路２３及び下部周回路２４は長円形状に形成され、長円形状の片側半円路３８の二箇所には切欠部３９が設けられる。切欠部３９は、上部ガイドレール２５及び下部ガイドレール２６に形成され、支持駒３１の回転を許容する広さを有している。
【００２６】
また、下部ガイドレール２６の外側付近には表示変換用ばね部材４０が固定されている。表示変換用ばね部材４０は、固定ブラケット４１によって下部取付台２８に固定される。表示変換用ばね部材４０は、ばね性を有することで、切欠部３９から移送路内空間２９に後退可能に突出する。表示変換用ばね部材４０は、移送されてきた可変広告表示ブロック３０の支持駒３１の角部４２に当接して、可変広告表示ブロック３０を回転させる。
【００２７】
この実施の形態では、可変広告表示ブロック３０は、可変広告表示ブロック３０の移送方向の上流側にある一つ目の表示変換用ばね部材４０で９０°回転され、二つ目の表示変換用ばね部材４０で更に９０°回転される。つまり、可変広告表示ブロック３０は片側の半円路３８で１８０°回転される。この実施の形態では、表示変換用ばね部材４０は片側の半円路３８だけに設けられているため、可変広告表示ブロック３０は一周回で１８０°回転される。つまり、表裏二つの広告表示面３３（３３ａ，３３ｂ）は二周回で切り換えられる。
【００２８】
なお、片側の半円路３８は、進入側四分円弧部４３と、繰出側四分円弧部４４とで、可変広告表示ブロック３０の移送のときの挙動が異なる。繰出側四分円弧部４４には、内側から支持駒３１を付勢する補助ばね４５を設けることが好ましい。これにより、接線方向に逃げようとする支持駒３１を補助ばね４５と表示変換用ばね部材４０とで半円路３８の内周側と外周側から挟持し、回転を確実にすることができる。
【００２９】
また、この実施の形態では、切欠部３９は、片側の半円路３８の外周側と内周側の両方に設けられているが、少なくとも表示変換用ばね部材４０が配設される外周側だけに設けられていればよい。
【００３０】
さらに、切欠部３９及び表示変換用ばね部材４０などからなる可変広告表示ブロック３０の回転機構は、上部ガイドレール２５及び上部取付台２８にあってもよい。
【００３１】
ここで、この実施の形態における作用を説明する。
図９（ａ）に示すように、可変広告表示装置１は、第１駆動軸１４及び第２駆動軸１６によって移送ホイール３６が回転されると、上部ガイドレール２５及び下部ガイドレール２６に案内されながら可変広告表示ブロック３０が繰り出される。可変広告表示ブロック３０は、複数が連続して配置されているので、一つが繰り出されれば、一つが押し戻される。つまり、複数の可変広告表示ブロック３０は、移送路内空間２９を連なって周回移送される。可変広告表示ブロック３０は、周回移送されるとき、最初の切欠部３９に到達すると、図９（ｂ）に示すように、切欠部３９から突出した一つ目の表示変換用ばね部材４０に支持駒３１の角部４２が当接する。
【００３２】
図１０（ｃ）に示すように、表示変換用ばね部材４０に支持駒３１の角部４２が当接した可変広告表示ブロック３０は、移送による押圧力によって表示変換用ばね部材４０から反力を受け、支持駒３１の角部４２を中心に回転される。このとき、支持駒３１は、角部４２が切欠部３９から外方へ突出することで、この切欠部４０においてのみ回転が許容される。この一回目の回転により可変広告表示ブロック３０は、図１０（ｄ）に示すように、９０°回転され、広告表示面３３の切換えが半回転だけ完了する。
【００３３】
図１１（ｅ）に示すように、一つ目の表示変換用ばね部材４０で９０°回転された可変広告表示ブロック３０は、二つ目の表示変換用ばね部材４０に当接する。図１１（ｆ）に示すように、表示変換用ばね部材４０に支持駒３１の角部４２が当接した可変広告表示ブロック３０は、移送による押圧力によって上記同様に回転される。
【００３４】
図１２（ｇ）に示すように、二回目の回転が終了した可変広告表示ブロック３０は、片側の半円路３８で表裏の広告表示面３３が切り換えられる（例えば表示面３３ａから表示面３３ｂに切り換えられる）。そして、表裏の広告表示面３３が切り換えられた可変広告表示ブロック３０は、図１２（ｂ）に示すように、異なる広告表示面３３が外側を向いて表示窓１９（図５参照）に移送される。このように、この実施の形態では、一周回ごとに可変広告表示ブロック３０の表裏の広告表示面３３が切り換わることになる。
【００３５】
次に、上述した実施の形態の変形例を説明する。
図１３に示すように、この変形例は、上述した実施の形態に対して、可変広告表示ブロック５０の形状と、切欠部３９及び表示変換用ばね部材４０の数が異なる構成となっている。可変広告表示ブロック５０は、広告表示面５１が断面略正方形の角柱体の側面５２に形成される。つまり、可変広告表示ブロック５０は、第１表示面５１ａと、第２表示面５１ｂと、第３表示面５１ｃと、第４表示面５１ｄとを有している。切欠部３９及び表示変換用ばね部材４０は、長円形状の片側の半円路３８に一箇所だけ設けられている。他の構成は、上述した実施の形態と同一である。
【００３６】
ここから、この変形例における作用を説明する。
図１４（ａ）に示すように、移送ホイール３６が回転され、可変広告表示ブロック５０が移送され、図１４（ｂ）に示すように、切欠部３９に到達すると、切欠部３９から突出している表示変換用ばね部材４０に支持駒３１の角部４２が当接する。
【００３７】
図１５（ｃ）に示すように、表示変換用ばね部材４０に支持駒３１の角部４２が当接した可変広告表示ブロック５０は、移送による押圧力によって表示変換用ばね部材４０から反力を受け、支持駒３１の角部４２を中心に回転される。この回転により可変広告表示ブロック５０は、図１５（ｄ）に示すように、９０°回転され、可変広告表示ブロック５０の広告表示面５１が例えば第１表示面５１ａからこの面５１ａに隣接した第２表示面５１ｂに切り換えられる。
【００３８】
一箇所の表示変換用ばね部材４０で９０°回転された可変広告表示ブロック５０は、図１５（ｅ）に示すように、異なる広告表示面５１が外側を向いて表示窓１９に移送される。このように、この変形例では、一周回ごとに可変広告表示ブロック５０の四つの広告表示面５１のうち、一面ずつ切り換わることになる。つまり、全周で四つの第１表示面５１ａ、第２表示面５１ｂ、第３表示面５１ｃ、第４表示面５１ｄが、四周回で切換え可能となる。
【００３９】
したがって、上述した実施の形態（及びその変形例）によれば、自重落下を利用せずに可変広告表示ブロック３０（５０）の広告表示面３３（５１）が変換可能なため、横スクロールを実現することができる。
【符号の説明】
【００４０】
１…可変広告表示装置
８…筐体
１４…第１駆動軸
１５…正面板
１６…第２駆動軸
１９…表示窓
２１…天井面
２２…底面
２３…上部周回路
２４…下部周回路
２５…上部ガイドレール
２６…下部ガイドレール
２９…移送路内空間
３０（５０）…可変広告表示ブロック
３１…支持駒
３３（５１）…広告表示面
３６…移送ホイール
３８…（片側の）半円路
３９…切欠部
４０…表示切換用ばね部材
４２…（支持駒の）角部
５２…（角柱体の）側面
【図１】
0005204252.tif 000002
【図２】
0005204252.tif 000003
【図３】
0005204252.tif 000004
【図４】
0005204252.tif 000005
【図５】
0005204252.tif 000006
【図６】
0005204252.tif 000007
【図７】
0005204252.tif 000008
【図８】
0005204252.tif 000009
【図９】
0005204252.tif 000010
【図１０】
0005204252.tif 000011
【図１１】
0005204252.tif 000012
【図１２】
0005204252.tif 000013
【図１３】
0005204252.tif 000014
【図１４】
0005204252.tif 000015
【図１５】
0005204252.tif 000016